(57)【特許請求の範囲】
【請求項１】
浴室の換気を行う換気部、浴室の雰囲気を加温する熱源部、所定方向に向かう気流を作り出す送風部、およびミストを発生させるミスト発生部を備えた装置本体と、
前記装置本体から離隔して配置されて、該装置本体の入力装置として機能すると共に表示装置としても機能するリモートコントローラと、
前記換気部、前記熱源部、前記送風部、および前記ミスト発生部それぞれの動作履歴を記憶する記憶部と、
前記リモートコントローラから入力された指令に応じて前記換気部、前記熱源部、前記送風部、および前記ミスト発生部それぞれの動作履歴を前記記憶部から読み出して前記リモートコントローラに表示させる履歴表示制御部と、を有し、
前記ミスト発生部には、水を貯留する貯水槽と、前記水からミストを発生させるミスト発生装置と、前記貯水槽の水位変化を検知する水位検知器と、が設けられ、
前記ミスト発生部の動作履歴は、ミスト発生時の前記貯水槽の水位変化の履歴であり、
前記貯水槽の水位変化の履歴に基づいて水位の変化速度を検知し、前記水位の変化速度が、予め定められた閾値を超えた場合に、前記リモートコントローラに報知を指示するメンテナンス判定部をさらに有することを特徴とする浴室換気乾燥暖房システム。
【請求項２】
前記メンテナンス判定部は、前記記憶部に格納されている動作履歴に基づき、メンテナンスを要する程度にまで動作が変化した部品が前記装置本体にあるか否かを判断し、メンテナンスを要する部品があると判断されたときには前記リモートコントローラに報知を指示することを特徴とする請求項１に記載の浴室換気乾燥暖房システム。
【請求項３】
メンテナンス作業が行われたときに、前記記憶部に格納されている動作履歴のうちでメンテナンス作業の対象となった項目に関連する動作履歴がリセットされることを特徴とする請求項１または２に記載の浴室換気乾燥暖房システム。
【請求項４】
前記履歴表示制御部は、前記装置本体が運転中であっても、前記リモートコントローラから入力された指令に応じて前記動作履歴を前記記憶部から読み出して前記リモートコントローラに表示させることを特徴とする請求項１〜３のいずれか１つに記載の浴室換気乾燥暖房システム。
【請求項５】
前記リモートコントローラから入力された指令に応じて前記装置本体にテスト運転動作を行わせるテスト運転制御部を更に有することを特徴とする請求項１〜４のいずれか１つに記載の浴室換気乾燥暖房システム。
【請求項６】
前記記憶部および前記履歴表示制御部のうちの少なくとも１つは、前記装置本体に設けられていることを特徴とする請求項１〜５のいずれか１つに記載の浴室換気乾燥暖房システム。
【請求項７】
前記記憶部および前記履歴表示制御部のうちの少なくとも１つは、前記リモートコントローラに設けられていることを特徴とする請求項１〜５のいずれか１つに記載の浴室換気乾燥暖房システム。
【請求項８】
前記メンテナンス判定部は、前記装置本体または前記リモートコントローラに設けられていることを特徴とする請求項２に記載の浴室換気乾燥暖房システム。
【請求項９】
前記テスト運転制御部は、前記装置本体または前記リモートコントローラに設けられていることを特徴とする請求項５に記載の浴室換気乾燥暖房システム。
【請求項１０】
浴室の換気を行う換気部、浴室の雰囲気を加温する熱源部、所定方向に向かう気流を作り出す送風部、およびミストを発生させるミスト発生部を備えた装置本体と、
前記装置本体から離隔して配置されて、該装置本体の入力装置として機能すると共に表示装置としても機能するリモートコントローラと、
前記ミスト発生部の動作履歴を記憶する記憶部と、
前記リモートコントローラから入力された指令に応じて前記ミスト発生部の動作履歴を前記記憶部から読み出して前記リモートコントローラに表示させる履歴表示制御部と、を有し、
前記ミスト発生部には、水を貯留する貯水槽と、前記水からミストを発生させるミスト発生装置と、前記貯水槽の水位変化を検知する水位検知器と、が設けられ、
前記ミスト発生部の動作履歴は、ミスト発生時の前記貯水槽の水位変化の履歴であり、
前記貯水槽の水位変化の履歴に基づいて水位の変化速度を検知し、前記水位の変化速度が、予め定められた閾値を超えた場合に、前記リモートコントローラに報知を指示するメンテナンス判定部をさらに有することを特徴とする浴室換気乾燥暖房システム。
【発明の詳細な説明】
【技術分野】
【０００１】
この発明は、浴室の換気、乾燥、および暖房を行う浴室換気乾燥暖房システムに関するものである。
【背景技術】
【０００２】
浴室の壁もしくは天井に嵌め込まれて使用される装置本体と該装置本体の入力装置として機能するリモートコントローラとを備えた浴室換気乾燥暖房システムを設置するにあたっては、装置本体を設置箇所から取り外すことなく点検、修理を行えるように、壁もしくは天井に点検口が並設されることが多いが、点検口およびその周囲に十分なメンテナンススペースを確保できないこともある。このため、点検口が設けられていない場合は勿論、点検口が設けられている場合でも、装置本体のメンテナンス作業は比較的行い難い。また、装置本体内部を見なければメンテナンスの要否が判断できない場合もあり、そのような場合には装置本体の分解・再組立に時間がかかってメンテナンス費用が高くなる。
【０００３】
例えば特許文献１に記載されたガス衣類乾燥機におけるように、所定の部材について経年情報を計測する計測手段と、該計測手段によって計測された経年情報の値が所定値を超えたときに警告を発する警告手段とを浴室換気乾燥暖房システムに設ければ、メンテナンスを行うことが望まれる箇所をメンテナンス担当者が容易に把握できるようになるので、メンテナンス作業を行い易くなる。
【０００４】
また、特許文献２に記載された遠隔管理システムにおけるように、トラブルを検出してトラブルデータを送信する機器と、トラブルの種類別に定められたメンテナンスに係る第１情報および過去のメンテナンスで要した物事についての第２情報を表示する手段とを浴室換気乾燥暖房システムに設けても、メンテナンス作業を行い易くなる。
【０００５】
さらには、特許文献３に記載された自動試運転モニター装置におけるように、故障修理時に自動試運転を行ってそのときのプログラムの実行結果をモニターに表示する機能を浴室換気乾燥暖房システムに設けても、メンテナンス作業を行い易くなる。
【０００６】
【特許文献１】特開平７−８０１９７号公報
【特許文献２】特開平８−３１７０７２号公報
【特許文献３】特開２００１−２４１６９０号公報
【発明の開示】
【発明が解決しようとする課題】
【０００７】
しかしながら、特許文献１〜３に記載された機器での上述の手段ないし機能を浴室換気乾燥暖房システムに付与しても、当該手段ないし機能は経年情報の値が所定値を超えたとき、あるはトラブルや故障が生じたときに初めて警告や所定の情報表示を行うものであるので、警告や所定の情報表示が行われた時間帯によっては迅速なメンテナンスサービスを受けられないことがある。また、例えば定期的なメンテナンス契約を結んだとしても、メンテナンス担当者が訪問した時点で警告や所定の情報表示がなされていなかったにも拘わらずその後すぐにトラブルや故障が生じることがあり、このようなことが起こると製品およびメンテナンスサービスに対する信頼が損なわれる。
【０００８】
この発明は上記の事情に鑑みてなされたものであり、メンテナンスを効率的に行い易いと共にメンテナンスの信頼性を高め易い浴室換気乾燥暖房システムを得ることを目的とする。
【課題を解決するための手段】
【０００９】
上記の目的を達成するこの発明の浴室換気乾燥暖房システムは、浴室の換気を行う換気部、浴室の雰囲気を加温する熱源部、および所定方向に向かう気流を作り出す送風部を備えた装置本体と、装置本体から離隔して配置されて、該装置本体の入力装置として機能すると共に表示装置としても機能するリモートコントローラと、換気部、熱源部、および送風部それぞれの動作履歴を記憶する記憶部と、リモートコントローラから入力された指令に応じて換気部、熱源部、および送風部それぞれの動作履歴を記憶部から読み出してリモートコントローラに表示させる履歴表示制御部とを有することを特徴とするものである。
【発明の効果】
【００１０】
この発明の浴室換気乾燥暖房システムでは、リモートコントローラから所定の指令を入力することにより換気部、熱源部、および送風部それぞれの動作履歴をリモートコントローラに表示させることができるので、例えばメンテナンス担当者が訪問したときに上記の動作履歴をリモートコントローラに表示させて、装置本体の内部を見ることなく修理、点検、部品交換等の要否を判断したり、次回の訪問時期を適切な時期に選定したりすることが容易になる。また、修理、点検等が必要であると判断されたときには、リモートコントローラに表示された動作履歴から該当箇所が判るので、該当箇所が不明な場合に比べて比較的短時間で修理、点検等を行うことが可能である。したがって、この発明の浴室換気乾燥暖房システムでは、メンテナンスを効率的に行い易いと共にメンテナンスの信頼性を高め易い。
【発明を実施するための最良の形態】
【００１１】
以下、この発明の浴室換気乾燥暖房システムの実施の形態について、図面を参照して詳細に説明する。なお、この発明は以下に説明する実施の形態に限定されるものではない。
【００１２】
実施の形態１．
図１は、この発明の浴室換気乾燥暖房システムの使用状態の一例を概略的に示す斜視図である。同図に示す浴室換気乾燥暖房システム７０Ａは、浴室１００の換気、雰囲気の加温、およびミストの放出を行う装置本体５０Ａと、該装置本体５０Ａに有線接続または無線接続されて装置本体５０Ａの入力装置として機能すると共に表示装置としても機能するリモートコントローラ６０とを備えている。装置本体５０Ａは浴室１００の天井１００ａに嵌め込まれており、リモートコントローラ６０は浴室６０の側壁１００ｂの外側表面に設置されている。装置本体５０Ａを点検、修理する際の便宜を図るために、天井１００ａには点検口１０５が設けられている。
【００１３】
図２は、図１に示した浴室換気乾燥暖房システムを概略的に示す機能ブロック図であり、図３は、図１に示した浴室換気乾燥暖房システムでのリモートコントローラの一例を概略的に示す正面図であり、図４は、図３に示したリモートコントローラを概略的に示す機能ブロック図である。
【００１４】
図２に示すように、上述した換気、雰囲気の加温、およびミストの放出を行う装置本体５０Ａは、換気部１、熱源部５、送風部１０、ミスト発生部２０、制御部３０Ａ、記憶部３５、および送受信処理部４０を有している。
【００１５】
換気部１は、排気ファンと該排気ファンの回転数を検出するロータリエンコーダ等の検出器（いずれも図示せず）とを有し、浴室１００（図１参照）の雰囲気を吸い込んで図示を省略した排気ダクトに送る。熱源部５は、ヒータ（図示せず）と該ヒータの温度を検出するサーミスタ等の検出器とを有し、浴室１００の雰囲気を加温し、乾燥する。
【００１６】
送風部１０は、給気ファンと該給気ファンの回転数を検出するロータリエンコーダ等の検出器（いずれも図示せず）とを有し、給気ファンを用いて所定方向の気流を作り出して、浴槽１００内の雰囲気の循環や、熱源部５で加温され乾燥された雰囲気の送風、あるいはミスト発生部２０で発生させたミストの放出を行う。
【００１７】
ミスト発生部２０は、ミストの素となる水を貯留する貯水槽と、該貯水槽への給水および貯水槽からの排水を行う給排水装置と、貯水槽内に配置されてミストを発生させるミスト発生装置と、ミストの発生を促す加湿促進材と、貯水槽内に配置されてミスト発生時の水変化を検出する水位検出器（いずれも図示せず）とを有し、送風部１０による送風路内に配置される。
【００１８】
制御部３０Ａは換気部１、熱源部５、送風部１０、またはミスト発生部２０の動作を制御する。また、換気部１、熱源部５、送風部１０、およびミスト発生部２０（以下、これらを「機能部」ということがある）それぞれの動作履歴を記憶部３５に格納する。さらには、各機能部の動作履歴を記憶部３５から読み出して、リモートコントローラ６０（図１参照）に表示させる。そのために、当該制御部３０Ａは主制御部２１、履歴管理部２３、および履歴表示制御部２５を含んでいる。
【００１９】
主制御部２１は、記憶部３５に格納されている動作プログラム、およびリートコントローラ６０から入力された指令等に応じて換気部１、熱源部５、送風部１０、およびミスト発生部２０の動作を制御する。
【００２０】
履歴管理部２３は計時機能を有し、主制御部２１による制御内容を基に換気部１、熱源部５、送風部１０、およびミスト発生部２０それぞれの動作履歴、例えば排気ファン、ヒータ、給気ファン、給排水装置、およびミスト発生装置それぞれの総動作時間を求めると共に、個々の機能部１，５，１０，２０に配置されている各検出器から排気ファンの回転速度、ヒータの温度、給気ファンの回転速度、またはミスト発生部２０での水の消費速度に関わる情報等を収集して記憶部３５に格納する。
【００２１】
そして、履歴表示制御部２５は、リモートコントローラ６０から入力された指令に応じて換気部１、熱源部５、送風部１０、およびミスト発生部２０それぞれの動作履歴を記憶部３５から読み出して、該動作履歴をリモートコントローラ６０に表示させる。当該履歴表示制御部２５による制御の下での動作履歴の表示は、装置本体５０Ａが運転中でも行うことができるように制御部３０Ａを構成することが好ましい。
【００２２】
記憶部３５は上述した動作プログラムおよび動作履歴を記憶し、送受信処理部４０は、リートコントローラ６０から入力された指令等を受信して制御部３０Ａに伝える一方で、制御部３０Ａから各機能部１，５，１０，２０の動作状況に係る情報や上述の動作履歴の情報を受けてこれらの情報をリモートコントローラ６０に送る。
【００２３】
図３に示すように、リモートコントローラ６０の外表面には、指令等の入力に用いられる複数の操作ボタンを有する操作部５３と、操作部５３から入力された指令の内容や装置本体５０Ａから受信した動作履歴の情報等を表示する表示部５９とが配置されており、表示部５９は、表示パネル部５９ａと、複数の表示ランプからなる表示ランプ部５９ｂとを含んでいる。
【００２４】
図４に示すように、リモートコントローラ６０は、上述した操作部５３および表示部５９の他に制御部５１、送受信処理部５５、および記憶部５７を有している。制御部５１は、操作部５３から入力された指令に応じて送受信処理部５５の動作を制御して、所定の指令信号を装置本体５０Ａ（図２参照）に送信させる。また、送受信処理部５５が装置本体５０Ａから受信して記憶部５７に格納した動作履歴の情報等を読み出して表示パネル部５９ａに表示させる。なお、装置本体５０Ａから受信した指令等に基づいて表示ランプ部５９ｂ中の所定の表示ランプを点灯ないし点滅させる場合には、当該指令等を記憶部５７に格納することなくそのまま制御部５１に送って、所定の表示ランプを点灯ないし点滅させることができる。
【００２５】
既に説明したように、装置本体５０Ａの記憶部３５（図２参照）に格納された前述の動作履歴は、リモートコントローラ６０からの指令に応じて履歴表示制御部２５により読み出され、送受信処理部４０（図１参照）を介してリモートコントローラ６０に送られる。そして、当該動作履歴を受信したリモートコントローラ６０により表示部５９に表示される。例えば、リモートコントローラ６０中の所定数の操作ボタンを同時に押すことにより、あるいは所定数の操作ボタンを一定時間以上長押しすることにより、上記の動作履歴を装置本体５０Ａから呼び出すモード（以下、「記憶呼出モード」という）に移行し、所定の操作ボタンを押すたびに各機能部１，５，１０，２０の動作履歴が表示部５９に順次表示されるようにリモートコントローラ６０が構成される。
【００２６】
必要に応じ、記憶呼出モード時にリモートコントローラ６０の所定の表示ランプを点灯もしくは点滅させて、あるいは表示パネル部５９ａでの表示を通常とは異なる形態、例えば異なる表示色や点滅表示等に切り換えて、通常のモードとは異なるモードに移行したことをユーザが認識し易いように当該リモートコントローラ６０を構成することもできる。
【００２７】
このように構成された浴室換気乾燥暖房システム７０Ａ（図１および図２参照）は、リモートコントローラ６０から入力された指令に応じて、換気部１による換気運転、熱源部５および送風部１０による乾燥運転もしくは暖房運転、またはミスト発生部２０によるミスト放出運転を行い、各機能部１，５，１０，２０の運転履歴を記憶部３５に格納する。
【００２８】
記憶部３５に上記の動作履歴が記憶されるので、浴室換気乾燥暖房システム７０Ａのメンテナンス担当者は、訪問時に当該動作履歴をリモートコントローラ６０に表示させて、装置本体５０Ａの内部を見なくても修理、点検、部品交換等の要否を判断したり、次回の訪問時期を適切な時期に選定したりすることができる。また、修理、点検が必要であると判断されたときには、リモートコントローラ６０に表示された動作履歴から該当箇所が判るので、該当箇所が判らない場合に比べて比較的短時間で修理、点検を行うことが可能である。したがって、浴室換気乾燥暖房システム７０Ａでは、メンテナンスを効率的に行い易いと共にメンテナンスの信頼性を高め易い。結果として、長期に亘って使用できる可能性が高くなる。
【００２９】
実施の形態２．
この発明の浴室換気乾燥暖房システムには、メンテナンスを要する程度にまで動作が変化した部品が装置本体にあるか否かを記憶部に格納されている動作履歴を基に判定し、メンテナンスを要する部品があると判定されたときにはリモートコントローラに報知を指示するメンテナンス判定部を付加することができる。
【００３０】
図５は、メンテナンス判定部を有する浴室換気乾燥暖房システムの一例を概略的に示す機能ブロック図である。同図に示す浴室換気乾燥暖房システム７０Ｂは、図２に示した装置本体５０Ａに代えて装置本体５０Ｂを備えており、該装置本体５０Ｂの構成は、メンテナンス判定部２７を含む制御部３０Ｂを有しているという点を除き、図２に示した装置本体５０Ａの構成と同様である。図５に示した構成要素のうちで図２に示した構成要素と共通するものについては、図２で用いた参照符号と同じ参照符号を付してその説明を省略する。
【００３１】
上記のメンテナンス判定部２７は、メンテナンスを要する程度にまで動作が変化した部品が装置本体５０Ｂにあるか否かを記憶部３５に格納されている各機能部１，５，１０，２０の動作履歴を基に判定し、メンテナンスを要する部品があると判定されたときには、送受信処理部４０を介してリモートコントローラ６０に報知を指示する。
【００３２】
記憶部３５には、換気部１を構成する排気ファン、熱源部５を構成するヒータ、送風部１０を構成する給気ファン、ならびにミスト発生部２０を構成する給排水装置およびミスト発生装置（いずれも図示せず）の各々の総動作時間について、メンテナンスを行うことが望まれる閾値が浴室換気乾燥暖房システム７０Ｂのメーカにより設定されて、予め格納されている。また、上記排気ファンの回転速度、ヒータの昇温速度、給気ファンの回転速度、ミスト発生部２０での水の消費速度等についても、メンテナンスを行うことが望まれる閾値が浴室換気乾燥暖房システム７０Ｂのメーカにより設定されて、予め格納されている。これらの閾値は、装置本体５０Ｂが故障に至るまでの時間が十分に確保されるように、別言すれば、そのまま装置本体５０Ｂの運転を継続したとしても該装置本体５０Ｂが故障に至る前にメンテナンス担当者を呼ぶことができるように選定することが好ましい。
【００３３】
メンテナンス判定部２７は、記憶部３５に格納されている各機能部１，５，１０，２０の動作履歴と上述の閾値とを例えば定期的に、あるいは各機能部１，５，１０，２０の運転開始から所定時間経過するたびに読み出して、メンテナンスを要する部品があるか否かを判定する。そして、メンテナンスを要する部品があると判定されたときには、上述のように、送受信処理部４０を介してリモートコントローラ６０に報知を指示する。メンテナンス判定部２７から上記の指示を受けたリモートコントローラは、例えば所定の表示ランプを点滅ないし点灯させることにより、あるいは表示パネル部５９ａ（図３および図４参照）に所定のメッセージ、例えば「Ｃａｌｌ」を表示することにより、メンテナンスが望まれることをユーザに報知する。
【００３４】
このように構成された浴室換気乾燥暖房システム７０Ｂは、実施の形態１で説明した浴室換気乾燥暖房システム７０Ａと同様の技術的効果を奏する。また、上述のメンテナンス判定部２７を有していることから、ユーザは装置本体５０Ｂに故障が発生して浴室換気乾燥暖房システム７０Ｂが運転不能になる前にメンテナンス担当者を呼ぶことがき、突然の故障により浴室換気乾燥暖房システム７０Ｂが使用できなくなるという事態を回避し易いという技術的効果も奏する。結果として、その信頼性を高めることができる。
【００３５】
これらの技術的効果を奏する浴室換気乾燥暖房システム７０Ｂでのメンテナンス判定部２７による処理の手順は、適宜選定可能である。以下、図５で用いた参照符号を適宜引用しつつ図６および図７を参照して、メンテナンス判定部２７による処理の手順の一例を具体的に説明する。
【００３６】
図６は、図５に示した浴室換気乾燥暖房システムでのメンテナンス判定部による処理の手順の一例を概略的に示すフローチャートである。同図に示す例では、装置本体５０Ｂが運転を開始するとメンテナンス判定部２７（図５参照）がステップＳ１〜Ｓ８うちの所定のステップを行って、所定の部品の動作履歴を基にメンテナンス対象項目Ａがメンテナンスを要するか否かを判定する。
【００３７】
最初に行われるステップＳ１では、メンテナンス対象項目Ａを記憶部３５（図５参照）を読み出す。次いで行われるステップＳ２では、メンテナンス対象項目Ａが第１の閾値Ｘを超えているか否かを判定する。第１の閾値Ｘは、メンテナンス対象項目Ａの収集対象の部品が正常であると判定される上限値であり、該第１の閾値Ｘを超えたときには上記の部品に異常ないし故障が生じたと判定される。
【００３８】
このステップＳ２でメンテナンス対象項目Ａが第１の閾値Ｘを超えていると判定されたときにはステップＳ３に進み、送受信処理部４０を介してリモートコントローラ６０（図５参照）に所定の信号を送って、異常が生じたことを示す表示動作をリモートコントローラ６０に行わせる。また、装置本体５０Ｂの運転を禁止する信号を主制御部２１（図５参照）に送って処理を終了する。一方、メンテナンス対象項目Ａが第１の閾値Ｘを超えていないと判定されたときにはステップＳ４に進む。
【００３９】
ステップＳ４では、メンテナンス対象項目Ａが第２の閾値Ｙを超えているか否かを判定する。第２の閾値Ｙは、メンテナンス対象項目Ａの収集対象の部品についてメンテナンスが未だ不要であると判定される上限値であり、該第２の閾値Ｙを超えたときには上記の部品のメンテナンスを行うことが望ましいと判定される。当該第２の閾値Ｙは、前述のように、そのまま装置本体５０Ｂの運転を継続したとしても該装置本体５０Ｂが故障に至る前にメンテナンス担当者を呼ぶことができるように選定することが好ましい。
【００４０】
ステップ４でメンテナンス対象項目Ａが第２の閾値Ｙを超えていると判定されたときにはステップＳ５に進み、送受信処理部４０を介してリモートコントローラ６０に所定の信号を送って、メンテナンスが望まれることを示す表示動作（メンテナンス喚起表示）をリモートコントローラ６０に行わせることでユーザに報知する。メンテナンス対象項目Ａが第２の閾値Ｙを超えていても装置本体５０Ｂの運転、操作は可能であるので、ステップＳ５を行った後にはステップＳ６に進んで、通所運転の開始または継続を主制御部２１に指示する。一方、ステップ４でメンテナンス対象項目Ａが第２の閾値Ｙを超えていないと判定されたときには、上述のステップＳ６に進む。
【００４１】
この後、ステップＳ７に進んで、装置本体５０Ｂの運転終了を指示する指令を主制御部２１がコントローラ６０から受けたか否かを判断する。上記の指令を未だ受けていないと判断されたときにステップＳ１に戻って該ステップＳ１以降を繰り返し、上記の指令を受けていると判断されたときにステップＳ８に進んで、メンテナンス対象項目Ａについての判定処理を終了する。
【００４２】
メンテナンス判定部２７は、装置本体５０Ｂを構成する各機能部１，５，１０，２０それぞれでの動作履歴を基に、機能部毎に予め設定されるメンテナンス対象項目についてメンテナンスを要するか否かの判定を上述のようにして順次、または並列に行う。以下、ミスト発生部についてのメンテナンスの要否判定を例に挙げて、メンテナンス判定部２７による処理を更に具体的に説明する。
【００４３】
図７は、図５に示した浴室換気乾燥暖房システムでのミスト発生部の一例を概略的に示す斜視図である。同図に示すミスト発生部２０は、ミストの素となる水Ｗを貯留する貯水槽１１と、該貯水槽１１への給水を行う給水管１２ａと、貯水槽１１からの排水を行う排水管１２ｂと、貯水槽１１内に配置されてミストを発生させる計４つのミスト発生装置１３ａ〜１３ｃと、貯水槽１１内に高さ位置を変えて配置されて貯水槽１１での水変化を検出する２つの水位検出器１４ａ，１４ｂと、貯水槽１１内に配置されてミストの発生を促す加湿促進材１５とを有している。
【００４４】
また、図７においては図示を省略しているが、ミスト発生部２０は、給水管１２ａの途中に配置された給水ポンプと排水管１２ｂの途中に配置された排水ポンプも有しており、これら給水ポンプおよび排水ポンプは、給水管１２ａ、排水管１２ｂと共に給排水装置を構成する。該給排水装置の動作は、主制御部２１（図５参照）により制御される。当該ミスト発生部２０は、送風部１０（図５参照）を構成している給気ファン７の送風路内に配置されて、浴室内にミストを放出する。図７においては、給気ファン７による送風方向を矢印Ｄｂで示している。
【００４５】
このように構成されたミスト発生部２０では、まず、空の貯水槽１１に給水管１２ａから給水が行われ、貯水槽１１の下部に配置されている水位検知器１４ｂが水Ｗを検知した後に貯水槽１１の上部に配置されている水位検知器１４ａが水Ｗを検知すると、主制御部２１が満水と判断して給水を終了させる。この後、ミスト発生部２０が運転を開始すると、各ミスト発生装置１３ａ〜１３ｄが動作して貯水槽１１中の水Ｗがミスト化され貯水槽１１での水位が徐々に低下する。水位検知器１４ｂが水を検知しなくなった時点で再度給水が行われる。
【００４６】
ミストとなった水Ｗの一部は加湿促進材１５を通過して浴室１００内に放出されるが，加湿促進材１５の使用期間が長くなると該加湿促進材１５が次第に閉塞してくることがある。加湿促進材１５に閉塞が起こると装置本体５０Ｂ（図５参照）からのミストの放出量が減少し，貯水槽１１での水位の低下速度が遅くなる。該低下速度を検知するために、履歴管理部２３（図５参照）は、水位検知器１４ａが水Ｗを検知しなくなってから水位検知器１４ｂが水Ｗを検知しなくなるまでのミスト発生部２０の運転時間を常に計時し、該運転時間をミスト発生部２０の動作履歴の１つとして記憶部３５に格納する。
【００４７】
メンテナンス判定部２７は、記憶部３５に格納されている上記の運転時間を読み出し、該運転時間が第１の閾値を超えたと判定されたときに、例えば初期の運転時間の１５０％に相当する時間を超えたと判定されたときに、異常ないし故障が生じたことを報知する表示をリモートコントローラ６０に行わせる。また、第２の閾値を超えたと判定されたときに、例えば初期の運転時間の１３０％に相当する時間を超えたと判定されたときに、メンテナンス喚起表示をリモートコントローラ６０に行わせる。
【００４８】
リモートコントローラ６０にメンテナンス喚起表示が表示されても、暫くの間は装置本体５０Ｂ（図５参照）を通常通り動作させることができるので、突然使用できなくなる場合に比べて利便性の低下が抑えられる。
【００４９】
実施の形態３．
この発明の浴室換気乾燥暖房システムには、リモートコントローラから入力された指令に応じて装置本体にテスト運転動作を行わせるテスト運転制御部を付加することができる。このテスト運転制御部を付加すれば、動作履歴の表示だけでメンテナンスの要否を判断することが困難なときやメンテナンス判定部の判定結果に疑義が生じたとき等に、メンテナンス担当者の立会いの下に実際に装置本体を運転して、メンテナンス担当者にその場でメンテナンスの要否を判断してもらうことが可能になる。
【００５０】
図８は、テスト運転制御部を有する浴室換気乾燥暖房システムの一例を概略的に示す機能ブロック図である。同図に示す浴室換気乾燥暖房システム７０Ｃは、図５に示した装置本体５０Ｂに代えて装置本体５０Ｃを備えており、該装置本体５０Ｃの構成は、テスト運転制御部２９を含む制御部３０Ｃを有しているという点を除き、図５に示した装置本体５０Ｂの構成と同様である。図８に示した構成要素のうちで図５に示した構成要素と共通するものについては、図５で用いた参照符号と同じ参照符号を付してその説明を省略する。
【００５１】
図８に示すテスト運転制御部２９は、リモートコントローラ６０から所定の指令が入力されたときに、換気部１、熱源部５、送風部１０、およびミスト発生部２０の機能部毎にテスト運転を開始させる。この間、テスト運転制御部２９は、履歴管理部２３の動作を制御して各機能部１，５，１０，２０の動作履歴を記憶部３５に格納させない一方で、メンテナンス判定部２７に各機能部１，５，１０，２０でのメンテナンスの要否を判定させる。メンテナンス判定部２７によりメンテナンスを要する部品があると判定されたときには、当該メンテナンス判定部２７がリモートコントローラ６０に報知を指示し、メンテナンスを要する部品がないと判定されたときには、異常がないことを当該メンテナンス判定部２７がリモートコントローラ６０に報知させる。
【００５２】
図９は、図８に示した浴室換気乾燥暖房システムでのテスト運転時の処理の手順の一例を概略的に示すフローチャートである。同図に示す例では、装置本体５０Ｃ（図８参照）が運転を開始するとメンテナンス判定部２７またはテスト運転制御部２９がステップＳ１１〜Ｓｎのうちの所定のステップを行って、テスト運転とメンテナンスの要否判定とを行う。
【００５３】
最初に行われるステップＳ１１では、リモートコントローラ６０で特殊操作、すなわち操作ボタンの二重押しや長押し等、テスト運転の開始指令の入力操作があったか否かをテスト運転制御部２９が判断する。特殊操作がなかったと判断されたときにはステップＳ１２に進んで主制御部２１が通常運転を開始し、特殊操作があったと判断されたときにはステップＳ１３に進んでテスト運転制御部２９がテスト運転を実行する。
【００５４】
テスト運転が実行されると、まずステップＳ１４に進んで、メンテナンス判定を行うべき複数のメンテナンス対象項目のうちの項目Ａについて動作履歴を得るテスト運転（図９においては「Ａ運転」と表記）をテスト運転制御部２９が所定の機能部１，５，１０，または２０に実行させる。次いで行われるステップＳ１５では、ステップＳ１４を行うことで得られた動作履歴を基に、メンテナンス判定部２７がメンテナンス対象項目Ａについてメンテナンスの要否を判定する。
【００５５】
このステップＳ１５でメンテナンス対象項目Ａのメンテナンスを行うことが望ましいと判定されるとステップＳ１６に進み、メンテナンス判定部２７が送受信処理部４０を介してリモートコントローラ６０（図８参照）に所定の信号を送って、メンテナンス対象項目Ａについてのメンテナンス喚起表示をその表示部に行わせることでユーザに報知する。
【００５６】
メンテナンス対象項目Ａについてメンテナンスを行うことが望ましいと判定されても装置本体５０Ｃの運転、操作は可能であるので、ステップＳ１６を行った後にはステップＳ１７に進んで、メンテナンス対象項目Ｂについての動作履歴を得るテスト運転（図９においては「Ｂ運転」と表記）をテスト運転制御部２９が所定の機能部１，５，１０，または２０に実行させる。一方、ステップ１５でメンテナンス対象項目Ａについてメンテナンスが不要であると判定されたときにも、上述のステップＳ１７に進む。
【００５７】
次いで行われるステップＳ１８では、ステップＳ１７を行うことで得られた動作履歴を基に、メンテナンス判定部２７がメンテナンス対象項目Ｂについてメンテナンスの要否を判定する。このステップＳ１８でメンテナンス対象項目Ｂのメンテナンスを行うことが望ましいと判定されるとステップＳ１９に進み、メンテナンス判定部２７が送受信処理部４０を介してリモートコントローラ６０に所定の信号を送って、メンテナンス対象項目Ｂについてのメンテナンス喚起表示をその表示部に行わせることでユーザに報知する。この後、ステップＳ２０に進む。また、ステップＳ１８でメンテナンス対象項目Ｂについてメンテナンスが不要であると判定されたときにもステップＳ２０に進む。
【００５８】
ステップＳ２０では、メンテナンス判定を行うべき複数のメンテナンス対象項目のうちの項目Ｃについての動作履歴を得るテスト運転（図９においては「Ｃ運転」と表記）をテスト運転制御部２９が所定の機能部１，５，１０，または２０に実行させる。この後、上述のステップＳ１５と同様のステップ、および必要に応じて上述のステップＳ１６と同様のステップを行い、さらには、メンテナンス判定を行うべき複数のメンテナンス対象項目のうちの最後の項目Ｘについてまで同様の処理を繰り返す。
【００５９】
そして、上記のメンテナンス対象項目Ｘについてのテスト運転を行って得られた動作履歴を基にメンテナンス判定部２７がメンテナンスの要否を判定するステップＳ（ｎ−２）で、メンテナンス対象項目Ｘのメンテナンスを行うことが望ましいと判定されるとステップＳ（ｎ−１）に進む。このステップＳ（ｎ−１）では、メンテナンス判定部２７が送受信処理部４０を介してリモートコントローラ６０に所定の信号を送って、メンテナンス対象項目Ｘについてのメンテナンス喚起表示をその表示部に行わせ、ユーザに報知する。この後、ステップＳｎに進む。また、ステップＳ（ｎ−２）でメンテナンス対象項目Ｘについてメンテナンスが不要であると判定されたときにもステップＳｎに進む。
【００６０】
ステップＳｎでは、メンテナンス判定部２７が送受信処理部４０を介してリモートコントローラ６０に所定の信号を送って、装置本体５０Ｃに異常がなかったことを示す表示をその表示部に行わせ、ユーザに報知する。このステップＳｎまで行うことにより、テスト運転時の処理が終了する。
【００６１】
例えば図７に示したミスト発生部２０についてテスト運転を行う場合には、貯水槽１１への給水、貯水槽１１からの排水、ミスト放出運転等が順次行われ、その過程で排水時間や水位低下速度等のメンテナンス対象項目が測定される。そして、メンテナンス対象項目毎にメンテナンスの要否が判定され、メンテナンスを行うことが望まれると判定されたときには、リモートコントローラ６０でメンテナンス喚起表示が行われる。メンテナンス担当者は、リモートコントローラ６０にメンテナンスの喚起が表示されたときには、該当項目に関わる部品の清掃、修理、または交換等の要否を判断し、メンテナンス作業を行う。
【００６２】
上述したテスト運転制御部２９を有する浴室換気乾燥暖房システム７０Ｃは、実施の形態２で説明した浴室換気乾燥暖房システム７０Ｂと同様の技術的効果を奏する他に、メンテナンス担当者の立会いの下に実際に装置本体を運転し、メンテナンス担当者にメンテナンスの要否をその場で判断してもらうことができるので、メンテナンス担当者により的確な判断をしてもらい易くなるという技術的効果も奏する。
【００６３】
以上、この発明の浴室換気乾燥暖房システムについて実施の形態を挙げて説明したが、前述のように、この発明は上述の形態に限定されるものではない。例えば、ミスト発生部を装置本体に設けるか否かは適宜選択可能である。
【００６４】
また、装置本体での各機能部の動作履歴を記憶部に格納する履歴管理部には、メンテナンス作業が行われたときに当該メンテナンス作業の対象となった部品やメンテナンス対象項目に関連する記憶部中の動作履歴をリセットする機能を付加することができる。この機能を履歴管理部に付加すると、メンテナンス前の動作履歴がメンテナンス後にもリモートコントローラの表示部に表示されてメンテナンス担当者が誤解したり、メンテナンス前の動作履歴を基にメンテナンス判定部が誤った判定をしてリモートコントローラにメンテナンス喚起表示がされてユーザが誤解したりする等の不具合を防止し易くなる。
【００６５】
履歴管理部による上記動作履歴のリセットは、メンテナンス作業が行われたことを検出する検出器を装置本体に設け、該検出器の検出結果に基づいて履歴管理部が自動的に行うように浴室換気乾燥暖房システム（装置本体）を構成することもできるし、リモートコントローラからの指令に応じて履歴管理部が行うように浴室換気乾燥暖房システムを構成することも可能である。リモートコントローラからの指令に応じて履歴管理部が上記動作履歴をリセットするように浴室喚起乾燥暖房システムを構成する場合には、リモートコントローラの誤操作により上記動作履歴がリセットされてしまうのを防止するために、指令の入力操作を比較的複雑にしたり、指令の入力にあたって所定の認証機能を付加したりすることが好ましい。なお、制御部中の他の部から履歴管理部を独立させるか否かは適宜選択可能である。例えば、履歴管理部の機能を主制御部や履歴表示制御部等に付加して、履歴管理部を省略することも可能である。
【００６６】
実施の形態１、実施の形態２、または実施の形態３で説明した履歴管理部、各機能部の動作履歴が格納される記憶部、履歴表示制御部、メンテナンス判定部、およびテスト運転制御部は、装置本体に設けなければならないというものではなく、これらのうちの少なくとも１つは、リモートコントローラに設けることもできる。この発明の浴室換気乾燥暖房システムについては、上述した以外にも種々の変形、修飾、組み合わせ等が可能である。
【産業上の利用可能性】
【００６７】
この発明は、家庭用または業務用の浴室換気乾燥暖房システムに好適に適用することができる。
【図面の簡単な説明】
【００６８】
【図１】この発明の浴室換気乾燥暖房システムの使用状態の一例を概略的に示す斜視図である。
【図２】図１に示した浴室換気乾燥暖房システムを概略的に示す機能ブロック図である。
【図３】図１に示した浴室換気乾燥暖房システムでのリモートコントローラの一例を概略的に示す正面図である。
【図４】図３に示したリモートコントローラを概略的に示す機能ブロック図である。
【図５】この発明の浴室換気乾燥暖房システムのうちでメンテナンス判定部を有するものの一例を概略的に示す機能ブロック図である。
【図６】図５に示した浴室換気乾燥暖房システムでのメンテナンス判定部による処理の手順の一例を概略的に示すフローチャートである。
【図７】図５に示した浴室換気乾燥暖房システムでのミスト発生部の一例を概略的に示す斜視図である。
【図８】この発明の浴室換気乾燥暖房システムのうちでテスト運転制御部を有するものの一例を概略的に示す機能ブロック図である。
【図９】図８に示した浴室換気乾燥暖房システムでのテスト運転時の処理の手順の一例を概略的に示すフローチャートである。
【符号の説明】
【００６９】
１  換気部
５  熱源部
１０  送風部
２０  ミスト発生部
２１  主制御部
２３  履歴管理部
２５  履歴表示制御部
２７  メンテナンス判定部
２９  テスト運転制御部
３０Ａ，３０Ｂ，３０Ｃ  制御部
３５  記憶部
４０  送受信処理部
５０Ａ，５０Ｂ，５０Ｃ  装置本体
５３  操作部
５９  表示部
５９ａ  表示パネル部
５９ｂ  表示ランプ部
６０  リモートコントローラ
７０Ａ，７０Ｂ，７０Ｃ  浴室換気乾燥暖房システム
１００  浴室
【図１】
0005164664.tif 000002
【図２】
0005164664.tif 000003
【図３】
0005164664.tif 000004
【図４】
0005164664.tif 000005
【図５】
0005164664.tif 000006
【図６】
0005164664.tif 000007
【図７】
0005164664.tif 000008
【図８】
0005164664.tif 000009
【図９】
0005164664.tif 000010